(57)【要約】  光学読取片（３）の複数のはっきりと見えるイメージ（Ｆ）を、それらが重なり合って光学読取片（３）の有効面を覆うように読み取る工程と、複数のイメージのそれぞれについて光学文字認識（ＯＣＲ）を実行し、それらについてそれぞれ文字の組み（Ｔ）を得る工程と、文字の組み（Ｔ）のそれぞれについて、インデックス文字（Ｙ）を識別する工程と、文字の組み（Ｔ）において、それらの１つ以上の文字の組み（Ｔ）に存在する文字（Ｆ）を識別し、それによって、位置決めパターンに従い、文字の組みの全てを正しく位置決めする工程とを含む、例えば国際民間航空機関電子パスポート規格よる光学読取片（３）の読取プロセスでは、その工程を通して複雑な読取手順を要求されることなく、正確な読み取りが実行される。
2010515138.tif 000002
【特許請求の範囲】
【請求項１】
光学読取片の読み取りプロセスであって、前記光学読取片（３）は、既知の位置決めパターンで配置され、位置決めインデックス文字（Ｙ）を含む既知の数の文字からなり、
前記光学読取片（３）の複数のはっきりと見えるイメージ（Ｆ）を、それらが重なり合って前記光学読取片（３）の有効面を覆うように読み取る工程と、
前記複数のイメージのそれぞれについて光学文字認識（ＯＣＲ）を実行し、それらについてそれぞれ文字の組み（Ｔ）を得る工程と、
前記文字の組み（Ｔ）のそれぞれについて、前記インデックス文字（Ｙ）を識別する工程と、
前記文字の組み（Ｔ）において、２つ以上の前記文字の組み（Ｔ）に存在するそれらの文字（Ｆ）を識別し、それによって、前記位置決めパターンに従い、前記文字の組みの全ての文字を正しく位置決めする工程とを含むプロセス。
【請求項２】
前記光学読取片（３）は、国際民間航空機関電子パスポート規格に適合する請求項１に記載のプロセス。
【請求項３】
前記読み取る工程は、前記光学読取片（３）を保持して、光学センサ（９）に対してスライドさせることで実行される請求項１に記載のプロセス。
【請求項４】
前記センサ（９）は、許される最大スライド速度においても、前記光学読取片（３）の有効面を重なり合って覆う複数のイメージを撮影するように選択された所定の検出クロック周波数に従って作動させられる請求項３に記載のプロセス。
【請求項５】
光学読取片の読取機材であって、前記光学読取片（３）は、既知の位置決めパターンで配置され、位置決めインデックス文字（Ｙ）を含む既知の数の文字からなり、
読取装置（１）であり、
前記光学読取片（３）のための位置決め手段（２，６）、
前記光学読取片（３）のための照明手段（７）、および
前記光学読取片（３）の上の複数のディジタルイメージ（Ｆ）を生成する光学ディジタルセンサ（９）を有するものと、
前記読取装置（１）に接続可能なコンピュータ（１３）であって、
それを通して、前記複数のイメージ（Ｆ）のそれぞれの光学文字認識が実行され、それにより、それらのそれぞれについて文字の組み（Ｔ）を得る光学文字新式光学文字認識ソフトウェア、および、
前記文字の組み（Ｔ）のそれぞれの中の前記インデックス文字（Ｙ）を識別し、前記文字の組み（Ｔ）において、２つ以上の前記文字の組み（Ｔ）に存在するそれらの文字（Ｆ）を識別し、それによって、前記位置決めパターンに従い、前記文字の組みの全ての文字の正しい位置決めを実行するためのソフトウェアを有するものとを含む機材。
【請求項６】
前記位置決め手段は、スロット（２）を含む請求項５に記載の機材。
【請求項７】
前記スロット（２）は、前記光学読取片（３）の長手方向のスライドを可能にするように、その３辺が開放し、第４辺がその底を構成する請求項６に記載の機材。
【請求項８】
前記位置決め手段は、前記スロット（２）の内側に、前記光学読取片（３）を、前記スロット（２）の内面を体現する透明なスクリーン（５）に押圧する手段（６）を含む請求項６に記載の機材。
【請求項９】
前記押圧する手段は、スプリングとして作用する弾性の板ばね（６）を有し、前記光学読取片（３）の通路が、前記板ばね（６）と前記透明なスクリーンとの間に生じる請求項８に記載の機材。
【請求項１０】
前記光学読取片（３）の照明手段は、前記光学読取片（３）がそれに対して配置される前記スクリーン（５）に対して横方向に配設されたＬＥＤ（７）を含む請求項５に記載の機材。
【請求項１１】
前記ＬＥＤは、赤外ＬＥＤの類のＬＥＤである請求項１０に記載の機材。
【請求項１２】
前記光学ディジタルセンサ（９）は、ＣＣＤ型である請求項５に記載の機材。
【請求項１３】
前記光学ディジタルセンサ（９）は、赤外帯域幅フィルタ（１５）を備える請求項１１に記載の機材。
【請求項１４】
前記読取装置（１）は、ワイヤレス接続または接続ケーブルを通して前記コンピュータ（１３）に接続可能である請求項５に記載の機材。
【発明の詳細な説明】
【技術分野】
【０００１】
本発明は、光学読取片の読み取りプロセスおよびそのようなプロセスを実施するための機材に関する。
【背景技術】
【０００２】
機械読み取り可能なパスポート（ＭＲＰ）、ＩＤカード、他の種類のカードおよびバッジ等のような身分証明書に通常設けられる読取片の光学読み取りを意図した、必須ではないが通常英数字の類の印刷コードによって記憶された情報のそれら要素をディジタルデータに訳するためのプロセスが知られている。
【０００３】
この種のプロセスは、中断なく印刷されたコードのディジタル翻訳を得ることを可能にする読取片のディジタル読み取り、それらのディジタルイメージの生成、および、それからの光学文字認識プロセス（ＯＣＲ）を含む。
【０００４】
この解決策は、とりわけ簡単に見えるが、その質が最終結果に重大な読取片全体の読み取りが実行される条件によって大きく影響を受ける。
【０００５】
しばしば、読み取りは、持ち運び可能な装置によって素速く行われ、特に、読取片が、バーコードだけでなく、複雑な文字を含む場合には、結果としての光学イメージが読取片全体の認識のための十分な質を有し得ない。
【０００６】
機械読取式パスポートの読取片の光学読み取りの例が、添付した図面の図３に示されている。
【発明の概要】
【発明が解決しようとする課題】
【０００７】
本発明の根本的な技術的課題は、従来技術に関して言及した欠点の克服を可能にする読み取りおよび文字認識を提供することである。
【課題を解決するための手段】
【０００８】
そのような課題は、上述のプロセスにおいて、光学読取片が、既知の位置決めパターンで配置され、位置決めインデックス文字を含む既知の数の文字からなり、
光学読取片の複数のはっきりと見えるイメージを、それらが重なり合って光学読取片の有効面を覆うように読み取る工程と、
前記複数のイメージのそれぞれの光学文字認識であって、それぞれのイメージについて文字の組みを得ることを実行する工程と、
前記文字の組みのそれぞれについて、前記インデックス文字を識別する工程と、
前記文字の組みの中で、２以上の組みに存在する文字を識別し、それによって、前記位置決めパターンに従う前記組の文字の全ての正確な位置決めを実行する工程とを含むプロセスによって解決される。
【０００９】
上述の課題は、同様に、同じ発明の概念に従い、光学読取片の読み取りのための機材であって、光学読取片は、既知の位置決めパターンで配置され、位置決めインデックス文字を含む既知の数の文字からなり、
読取装置であり、
前記光学読取片の位置決め手段、
前記光学読取片の照明手段、および、
前記光学読取片の上に複数のディジタルイメージを生成するのに適した光学ディジタルセンサを有するものと、
前記読取装置に接続可能なコンピュータであって、
それを通して、前記複数のイメージのそれぞれの光学文字認識が実行され、それにより前記イメージのそれぞれについて文字の組みを得る光学文字認識ソフトウェア、および、
前記文字の組みのそれぞれの中の前記インデックス文字を識別し、前記文字の組みの中の２つ以上の組みに存在するそれらの文字を識別し、それによって、前記位置決めパターンに従って前記文字の組みの全ての正確な位置決めを実行するソフトウェアを有するものとを含む機材によって解決される。
【発明の効果】
【００１０】
本発明に係るプロセスおよび読取機材の主な利点は、正確な読み取りを可能にすると同時に、複雑または特に厳密な読み取り手順を要求しないことにある。
【図面の簡単な説明】
【００１１】
本発明は、説明のための非限定的な目的で与えられた添付の図面を参照して、その好ましい実施形態に関して、これより説明される。
【図１】本発明に係る機材の読取装置の部分断面斜視図である。
【図２】図１の装置の細部を拡大した部分断面斜視図である。
【図３】図２の細部の水平中心面で簡略断面図である。
【図４】本発明に係るプロセスの該要素を示す図である。
【図５】本発明に係る機材を示す図である。
【発明を実施するための形態】
【００１２】
図１乃至３および５を参照して、以下に詳述するプロセスの実行に使用し得る読取装置をこれより説明する。
【００１３】
そのような装置は、全体を１で示され、実質的に手で把持できる小型の本体を有する。それは、例えば、パスポートのページ４、ＩＤカード等に明示された光学読取片２（図２）を導入するためのスロット２を有する。
【００１４】
スロット２は、３辺が開放し、ページ４の長手方向のスライドを許すように４番目の辺がその底を構成している。スロット２の内側には、読取片３を透明なスクリーン５の上に押圧する手段が存在し、スクリーン５は、スロット２の内面を体現する。本実施形態において、前記押圧手段は、スプリングとして作用する弾性板ばね６を有し、板ばね６は、板ばね６とスクリーン５との間を読取片３が通過するように配置されている（図３）。
【００１５】
スロット２および板ばね６は、アセンブリにおいて、光学読取片３の位置決め手段を体現する。しかしながら、それは、スロットがそのような位置決め手段を確定する可能な実施形態の１つでしかないことを意図する。とは言うものの、それを通して読み取りがなされるスクリーンに対してスライドする読取片３を有する条件は、本発明の好ましい特徴と考えられる。
【００１６】
スクリーン５の背後には、前記光学読取片３の照明手段を含み、本実施形態では、照明手段は、スクリーン５に対して側方に配設され、従来の方法で電気を供給するカード８の上に設置されたＬＥＤ７の組みによって体現されている。
【００１７】
好ましくは、前記ＬＥＤは、赤外ＬＥＤの類のＬＥＤ、即ち、赤外線放射体である。
【００１８】
装置１は、前記光学読取片の上の複数のディジタルイメージを生成するのに適した、例えばＣＣＤまたはＣＭＯＳ型の、光学ディジタルセンサ９をも含む。
【００１９】
そのようなセンサ９は、カード１０の上に配設され、スクリーン５に向かって開放し、フォーカスレンズおよび可視光線の範囲と異なる波長、例えば７００ｎｍ未満を除外するような赤外帯域幅フィルタ１５を収容するケース１１の中に配置されている。
【００２０】
センサ９および可能な照明手段は、光学読取片３の通過によって作動する。作動ボタン１２を設けてもよい。
【００２１】
装置１は、コンピュータ、本実施形態ではラップトップコンピュータ１３に、ワイヤレス、或いは、ＵＳＢまたはＦｉｒｅｗｉｒｅソケットのような接続ケーブル１４を通してのようないかなる種類の接続を通しても繋ぐことができる。
【００２２】
上述の機材は、例えばパスポートのような身分証明書の光学読取片の読み取りのための本発明に係るプロセスを実行できる。
【００２３】
身分証明書において、そのような読取片は、他の部分ではテキスト形式で書かれ、情報のいくつかの要素が、光学文字認識、つまり、機械によって読み取られるのに適するように印刷された英数文字列として書かれた部分に配置される。
【００２４】
例えば、この方法は、税関職員または他の警察官が、コンピュータシステムに手動でデータを入力する必要なく、パスポートがスロットに入れられたなら、もしも所持者が望むならばデータベースで確認するために、または外国人の移動を記録するために、素早くこれらのパスポートを検査することを可能にする。
【００２５】
光学読取片は、位置決め指標Ｙを含む既知の位置決めパターンに従って配置された既知の数の文字を含み得る。
【００２６】
例えば、そのような種類の規格は、ＩＣＡＯ−ＭＲＴＤ（国際民間航空機関電子パスポート）プログラムの中で定められている。
【００２７】
特に図４に関して、本実施形態のプロセスが以下に説明される。それは、複数のはっきりと見えるイメージが光学読取片３から読み取られる、装置１を操作して読取片３をスロット２に通す工程を含む。
【００２８】
イメージの数は、読取片３をスロット２、つまり、スクリーン５およびセンサ９の前を通す速度に依存する。センサは、許されたまたは考えられる最大スライド速度であっても、イメージそれら自身が、互いに重なり合って光学読取片の有効面を覆うような、複数のイメージを撮影するように選択された所定の検出クロック周波数に従って駆動される。
【００２９】
Ｆで示されたディジタル形式の全てのイメージは、それらの処理のためにコンピュータ１３に送られる。
【００３０】
コンピュータ１３は、どのような規準に従うものでもよい光学文字認識（ＯＣＲ）のためのソフトウェアを含む。
【００３１】
このソフトウェアを通して、前記複数のイメージのそれぞれについて、それらの各個について文字の組Ｔを取得するための光学文字認識が実行される。
【００３２】
さらに、コンピュータ１３のソフトウェアは、それぞれの文字の組みＴについて前記インデックス文字Ｙの識別工程を実行する。
【００３３】
この点で、次の工程において、前記インデックス文字Ｙは、前記文字の組みＴにおいて、それらの１組以上に存在する文字を識別するのに利用される。
【００３４】
そのような方法で、冗長な文字の排除、結果として前記位置決めパラメータに従って前記組みの文字全ての正しい位置決め、および、光学読取片３の読みＲを得ることを実行することが可能である。
【００３５】
そして、この読み取りは、検査する書類中のその存在のおかげで、企図する目的に従って使用され得る。
【００３６】
このため、読み取りは、読取装置のＣＣＤセンサの前でのスライド速度に依存する結果となるものと理解される。
【００３７】
読取装置は、簡略化された構造を有し、容易に操作、使い古し等され得、その操作のためにコンピュータに接続するに足り得る。コンピュータもまた、持ち運び可能な種類の、取り扱うべきイメージの組み以上の記憶のために必要なデータ記憶装置を備えるものである。それは、遠隔であっても、データベースに接続され、得られたデータを比較するために参照し得る。
【００３８】
上述の読み取りのためのプロセスおよび機材について、当業者は、さらなる要求および不足の要求に応じて、いくつかのさらなる変形および改良を採用するであろうが、いかなる場合も、全て添付した請求の範囲に確定された本発明の範囲に入る。
【図１】
2010515138.tif 000003
【図２】
2010515138.tif 000004
【図３】
2010515138.tif 000005
【図４】
2010515138.tif 000006
【図５】
2010515138.tif 000007
【国際調査報告】
2010515138.tif 000008
2010515138.tif 000009
2010515138.tif 000010
2010515138.tif 000011
2010515138.tif 000012